(57)【要約】【課題】電動機の内部の熱を効率良く電動機の外部に放熱可能な電動機ケース部品を得ること。【解決手段】電動機ケース部品は、円筒形状を有する本体部２０と、本体部２０の外周面から円筒形状の中心軸Ｃを中心として突出するとともに円筒形状の中心軸Ｃの軸方向に沿って平行に設けられて他の部品が取り付けられる取付部２３と、本体部２０の外周面１ａから円筒形状の中心軸Ｃを中心として放射状に配列されて突出するとともに円筒形状の中心軸Ｃの軸方向に沿って平行に設けられた複数の放熱フィン２２とを備える。円筒形状の円周方向において取付部２３を挟んで隣り合う領域に設けられた複数の放熱フィン２２の頂点と、取付部２３の上面とは、同一平面上に位置している。【選択図】図４
2019022250.tif 000002
【特許請求の範囲】
【請求項１】
円筒形状を有する本体部と、
前記本体部の外周面から前記円筒形状の中心軸を中心として突出するとともに前記円筒形状の中心軸の軸方向に沿って平行に設けられて他の部品が取り付けられる取付部と、
前記本体部の外周面から前記円筒形状の中心軸を中心として放射状に配列されて突出するとともに前記円筒形状の中心軸の軸方向に沿って平行に設けられた複数の放熱フィンと、
を備え、
前記円筒形状の円周方向において前記取付部を挟んで隣り合う領域に設けられた複数のフィンの頂点と、前記取付部の上面とが同一平面上に位置していること、
を特徴とする電動機ケース部品。
【請求項２】
前記同一平面である第１仮想平面と、前記円筒形状の中心軸を通って前記中心軸に沿った仮想面である第２仮想平面とが、前記円筒形状の半径方向における前記電動機ケース部品の外周面よりも外側において垂直に交差すること、
を特徴とする請求項１に記載の電動機ケース部品。
【請求項３】
前記円筒形状の円周方向において前記取付部を挟んで隣り合う領域に設けられた複数の放熱フィンは、前記取付部に対してシンメトリックに配置されていること、
を特徴とする請求項２に記載の電動機ケース部品。
【請求項４】
前記取付部が、前記円筒形状の円周方向において等しい間隔で４箇所に設けられていること、
を特徴とする請求項３に記載の電動機ケース部品。
【請求項５】
請求項１から４のいずれか１つに記載の電動機ケース部品と、
前記電動機ケース部品の円筒形状の両端部の開口を塞ぐ２つの蓋部と、
前記電動機ケース部品の内部に配置された円筒形状を呈する固定子と、
前記固定子の内側に配置される回転子と、
前記回転子に連結されて回転子の中心軸に沿って延びる回転軸と、
を備えることを特徴とする電動機。
【請求項６】
請求項５に記載の電動機と、
前記電動機の回転軸に接続された羽根と、
を備えることを特徴とする換気扇。
【請求項７】
円筒形状を有する本体部と、
前記本体部の外周面から前記円筒形状の中心軸を中心として突出するとともに前記円筒形状の中心軸の軸方向に沿って平行に設けられて他の部品が取り付けられる取付部と、
前記本体部の外周面から前記円筒形状の中心軸を中心として放射状に配列されて突出するとともに前記円筒形状の中心軸の軸方向に沿って平行に設けられた複数の放熱フィンと、
を備え、
前記円筒形状の円周方向において前記取付部を挟んで隣り合う領域に設けられた複数のフィンの頂点と、前記取付部の上面とが同一平面上に位置していること、
を特徴とする押出成形部品。
【発明の詳細な説明】
【技術分野】
【０００１】
本発明は、押出成形部品からなる電動機ケース部品、電動機ケース部品を備えた電動機、電動機を備えた換気扇、および押出成形された押出成形部品に関する。
【背景技術】
【０００２】
電動機を運転した場合には、電動機の内部において電気エネルギーが巻線の抵抗によって熱エネルギーにかわる損失、いわゆる銅損が発生して発熱が生じる。この発熱による電動機の内部の温度上昇値が高すぎる場合には、電動機の内部に配置された樹脂材料から成る部品の劣化または変形が生じるおそれがある。このため、発熱の抑制、または電動機の内部の熱の電動機の外部への放熱によって、電動機の内部の過度の温度上昇を抑制する必要がある。
【０００３】
電動機の内部の温度上昇を抑制する方法としては、固定子の巻線の設計を変更することによって銅損を低減させる方法、電動機の外郭の表面積を増大させる方法がある。電動機の外郭の表面積を増大させる方法には、電動機の外郭に放熱フィンを取り付ける方法、および外郭の外側形状に放熱フィンの形状を設ける方法、すなわち電動機の外郭そのものに放熱フィンの形状を設ける方法がある。
【０００４】
外側形状に放熱フィンの形状を設けた電動機の外郭には、金属材料の中でも相対的に熱伝導性の高いアルミニウム材料が押出成形されたアルミニウム押出成形部品である、中空部を有する外郭部品が広く用いられている。一般に、アルミニウム押出成形部品からなる外郭部品は、円筒形状を有し、外周壁に取付用脚および放熱フィン形状が設けられている。そして、外郭部品の中空部に固定子が焼嵌めされる。また、アルミニウム押出成形部品は、押出成形後の時点で安定して載置できるように外周部に下面受け部を設ける必要がある。
【０００５】
特許文献１には、アルミニウム押出成形部品からなりモータケースを構成するモータケース部品である、モータケース本体および端部部材が開示されている。モータケース本体および端部部材には、外周壁に、多数のフィン状突起と、フィン状突起よりも大幅に肉厚に設けられた取付用脚とが設けられている。そして、モータケース本体および端部部材では、押出成形後の中間材の時点での下面受け部の役割を取付用脚が担っている。
【先行技術文献】
【特許文献】
【０００６】
【特許文献１】特開２０００−１０２２０８号公報
【発明の概要】
【発明が解決しようとする課題】
【０００７】
しかしながら、上記特許文献１のモータケース部品では、取付用脚の厚みがフィン状突起の厚みに比べて大幅に肉厚とされている。また、特許文献１のモータケース部品では、外周面からの固定脚の高さがフィン状突起の高さに比べて大幅に高くなっている。このため、特許文献１のモータケース部品では、下面受け部を作るための取付用脚を設けたことによって、多数のフィン状突起を配置することによる外表面の面積の拡大が阻害され、電動機の内部の熱の放熱効率が低くなる、という問題があった。
【０００８】
本発明は、上記に鑑みてなされたものであって、電動機の内部の熱を効率良く電動機の外部に放熱可能な電動機ケース部品を得ることを目的とする。
【課題を解決するための手段】
【０００９】
上述した課題を解決し、目的を達成するために、本発明にかかる電動機ケース部品は、円筒形状を有する本体部と、本体部の外周面から円筒形状の中心軸を中心として突出するとともに円筒形状の中心軸の軸方向に沿って平行に設けられて他の部品が取り付けられる取付部と、本体部の外周面から円筒形状の中心軸を中心として放射状に配列されて突出するとともに円筒形状の中心軸の軸方向に沿って平行に設けられた複数の放熱フィンと、を備える。円筒形状の円周方向において取付部を挟んで隣り合う領域に設けられた複数のフィンの頂点と、取付部の上面とは、同一平面上に位置している。
【発明の効果】
【００１０】
本発明によれば、電動機の内部の熱を効率良く電動機の外部に放熱可能な電動機ケース部品が得られる、という効果を奏する。
【図面の簡単な説明】
【００１１】
【図１】本発明の実施の形態１にかかる電動機の外観を示す正面図
【図２】本発明の実施の形態１にかかる電動機の外観を示す斜視図
【図３】本発明の実施の形態１にかかる電動機の構成を示す分解斜視図
【図４】本発明の実施の形態１にかかる電動機の電動機ケース本体の外観を示す正面図
【図５】本発明の実施の形態１にかかる電動機の電動機ケース本体の外観を示す側面図
【図６】本発明の実施の形態１にかかる電動機の電動機ケース本体の正面側の一部を拡大して示す要部拡大図
【図７】本発明の実施の形態２にかかる換気扇の正面図
【図８】本発明の実施の形態２にかかる換気扇の側面図
【発明を実施するための形態】
【００１２】
以下に、本発明の実施の形態にかかる電動機ケース部品、電動機、換気扇および押出成形部品を図面に基づいて詳細に説明する。なお、この実施の形態によりこの発明が限定されるものではない。
【００１３】
実施の形態１．
図１は、本発明の実施の形態１にかかる電動機の外観を示す正面図である。図２は、本発明の実施の形態１にかかる電動機の外観を示す斜視図である。図３は、本発明の実施の形態１にかかる電動機の構成を示す分解斜視図である。図４は、本発明の実施の形態１にかかる電動機の電動機ケース本体の外観を示す正面図である。図５は、本発明の実施の形態１にかかる電動機の電動機ケース本体の外観を示す側面図である。図６は、本発明の実施の形態１にかかる電動機の電動機ケース本体の正面側の一部を拡大して示す要部拡大図である。
【００１４】
本実施の形態１にかかる電動機１００は、回転子１２が固定子１１の中で回る内回転式の電動機である。電動機１００は、円筒形状を有する電動機ケース本体１と、２つの蓋部である第１蓋部２および第２蓋部３とによって構成される電動機ケースの内部に、円筒形状を呈する固定子１１と、円筒形状を呈して固定子１１の内側に配置される回転子１２と、回転子１２に連結されて回転子１２の中心軸に沿って延びる回転軸１３と、を備える。電動機ケースは、電動機１００の外郭を成す。第１蓋部２および第２蓋部３は、ネジ４によって電動機ケース本体１に締結されて、電動機ケース本体１の円筒形状の両端部の開口を塞ぐ。電動機ケース本体１と固定子１１と回転子１２と回転軸１３とは、同軸状に配設されている。
【００１５】
回転軸の一端１３ａ側は、外郭の外部に突出している。外郭の外部に突出した回転軸の一端１３ａ側には、図示しない負荷が接続される。以下では、回転軸１３の軸方向に沿った方向において、回転軸１３が外郭の外部に突出した一方向側を負荷側と呼び、回転軸１３の軸方向に沿った方向において回転軸１３が外郭の外部に突出した方向と反対方向側を反負荷側とする。負荷側は、図１および図３においては右側である。反負荷側は、図１および図３においては左側である。
【００１６】
固定子１１は、円筒形状を呈し、図示しない固定子鉄心と複数の巻枠と複数のコイルとを有する。固定子１１は、電動機１００の外殻となる電動機ケース本体１の内周面である後述する固定子保持部２１に焼嵌めによって固定されて、回転子１２の周囲に配設されている。
【００１７】
回転軸１３は、回転軸１３の軸方向において回転子１２を挟んだ位置に配置された２つの軸受け１４によって、回転可能に支持されている。すなわち、回転子１２は、反負荷側の軸受け１４である第１の軸受け１４１および負荷側の軸受け１４である第２の軸受け１４２によって、回転可能に支持されている。
【００１８】
反負荷側の第１の軸受け１４１は、外殻を構成する第１蓋部２の中央部に形成された凹部からなる第１軸受保持部２ａに外輪が嵌め込まれて固定され、内輪が回転軸１３に嵌め込まれて固定されている。負荷側の第２の軸受け１４２は、外殻を構成する第２蓋部３の中央部に形成された凹部からなる第２軸受保持部３ａに外輪が嵌め込まれて固定され、内輪が回転軸１３に嵌め込まれて固定されている。
【００１９】
電動機ケース本体１は、金属材料が押出成形された押出成形部品であり、金属材料の中でも相対的に熱伝導性の高いアルミニウム材料が押出成形されたアルミニウム押出成形部品であり、電動機ケースを構成する電動機ケース部品である。電動機ケース本体１は、電動機ケース本体１の円筒形状の中心軸Ｃの方向における両端が開放された円筒形状を有する。電動機ケース本体１は、円筒形状を有する本体部２０と、他の部品が取り付けられる複数の取付部２３と、固定子１１で発熱して電動機ケース本体１に伝熱した熱を放熱させるための複数の放熱フィン２２とを備える。取付部２３と放熱フィン２２とは、本体部２０に一体に設けられている。本体部２０の外周面は、電動機ケース本体１の外周面１ａと同意である。
【００２０】
放熱フィン２２は、電動機ケース本体１の円筒形状の中心軸Ｃを中心として、電動機ケース本体１の半径方向において電動機ケース本体１の外周面１ａから放射状に突出して設けられている。また、放熱フィン２２は、電動機ケース本体１の円筒形状の中心軸Ｃの方向に沿って平行に設けられている。すなわち、放熱フィン２２は、電動機ケース本体１の外周面１ａから電動機ケース本体１の円筒形状の半径方向に放射状に突出し、電動機ケース本体１の円筒形状の中心軸Ｃの方向に渡って延在している。また、複数の放熱フィン２２においては、電動機ケース本体１の外周面１ａの円周方向における位置によって、電動機ケース本体１の外周面１ａからの放熱フィン２２の高さが異なるものが存在する。
【００２１】
また、電動機ケース本体１は、電動機１００に取り付けられる製品にネジで締結させるための４本の取付部２３を外周に有する。取付部２３は、電動機ケース本体１の円筒形状の中心軸Ｃを中心として、電動機ケース本体１の円筒形状の半径方向において電動機ケース本体１の外周面１ａから突出するとともに電動機ケース本体１の円筒形状の中心軸Ｃの方向に沿って平行に設けられている。すなわち、取付部２３は、電動機ケース本体１の外周面１ａから電動機ケース本体１の半径方向に突出し、電動機ケース本体１の円筒形状の中心軸Ｃの方向に渡って延在している。取付部２３は、電動機ケース本体１の円筒形状の円周方向、すなわち外周面１ａの円周方向において、等しい間隔で４箇所に設けられている。
【００２２】
取付部２３の上面、すなわち電動機ケース本体１の径方向における面は、電動機１００が取り付けられる製品における取付部に取り付けられる製品取付面２３ａであり、平坦面とされている。製品取付面２３ａには、製品における取付部に電動機１００をネジ締結するための製品取付穴２３ｂが設けられている。電動機ケース本体１の円筒形状の円周方向において、取付部２３の幅は、製品取付穴２３ｂを設けるための幅を確保するために、放熱フィン２２の幅よりも大きくされている。また、取付部２３の高さ、すなわち電動機ケース本体１の外周面１ａからの製品取付面２３ａの高さは、４本の取付部２３において同じ高さとされている。
【００２３】
電動機ケース本体１においては、取付部２３の上面である製品取付面２３ａと、電動機ケース本体１の円筒形状の円周方向において取付部２３の周辺に配置されている高さの異なる複数の放熱フィン２２の頂点２２ａとにより下面受け部が構成されている。放熱フィン２２の頂点２２ａは、電動機ケース本体１の半径方向における放熱フィン２２の先端部である。以下、電動機ケース本体１における放熱フィン２２と取付部２３との構成について詳細に説明する。
【００２４】
複数の放熱フィン２２において、電動機ケース本体１の外周面１ａからの放熱フィン２２の高さは、電動機ケース本体１の円筒形状の円周方向において、図４に示すように取付部２３から離れるにつれて徐々に高くなる。なお、１本の放熱フィン２２の高さは、電動機ケース本体１の円筒形状の中心軸Ｃの方向において同じである。
【００２５】
図６に示すように、電動機ケース本体１の円筒形状の円周方向において、取付部２３によって区画される２つの領域、すなわち取付部２３によって分割される２つの領域では、高さの異なる複数の放熱フィン２２が、取付部２３に対して対称な位置および形状で配置されている。換言すると、外周面１ａの円周方向における取付部２３の両側の領域では、高さの異なる複数の放熱フィン２２が、取付部２３に対してシンメトリックに配置されている。
【００２６】
上述した下面受け部を構成する、高さの異なる放熱フィン２２の頂点２２ａと、製品取付面２３ａである取付部２３の上面とによって、図６に示すように第１仮想平面３１が構成される。すなわち、取付部２３の上面である製品取付面２３ａと、電動機ケース本体１の円筒形状の円周方向において取付部２３を挟んで隣り合う２つの領域に設けられた複数の放熱フィン２２の頂点２２ａとは、同一平面上に位置している。
【００２７】
図６においては、取付部２３を中心位置と見た場合に、外周面１ａの円周方向において取付部２３の右側の領域の外周面１ａと、外周面１ａの円周方向において取付部２３の左側の領域の外周面１ａとにおいて、取付部２３から数えて２本目までの放熱フィン２２の頂点２２ａと、取付部２３の製品取付面２３ａとは、第１仮想平面３１上に位置する。すなわち、外周面１ａの円周方向において取付部２３から数えて２本目までの高さの異なる放熱フィン２２の頂点２２ａと、取付部２３の上面とは、同一平面上に位置する。
【００２８】
ここで、第１仮想平面３１は、電動機ケース本体１の円筒形状の中心軸Ｃを通って中心軸Ｃに沿った仮想面を第２仮想平面３２とした場合に、電動機ケース本体１の半径方向における電動機ケース本体１の外周面１ａよりも外側において第２仮想平面３２に垂直に交差する仮想平面である。
【００２９】
高さの異なる放熱フィン２２の頂点２２ａと製品取付面２３ａとによって成される第１仮想平面３１は、図４に示すように電動機ケース本体１の円筒形状の中心軸Ｃを軸に、電動機ケース本体１の外周面１ａの円周方向において９０度毎に配置されている。したがって、第１仮想平面３１は、電動機ケース本体１の外周面１ａの円周方向において９０度毎に４面が構成されている。そして、高さの異なる放熱フィン２２および取付部２３は、電動機ケース本体１の円筒形状の中心軸Ｃに垂直な面において、中心軸Ｃに対して、シンメトリックに設けられている。
【００３０】
取付部２３の製品取付面２３ａと同一平面上に頂点２２ａが位置する放熱フィン２２の本数は、特に限定されず、電動機ケース本体１または電動機ケース本体１の中間材が押出成形によって押出されて載置された際の安定性、またはその他の製造条件によって適宜設定されればよい。
【００３１】
以上のように構成された電動機１００を運転した場合には、固定子１１において電気エネルギーが巻き線の抵抗によって熱エネルギーにかわる損失、いわゆる銅損が発生して発熱が生じる。固定子１１で発生した熱は、固定子１１の外周から電動機ケース本体１に伝わる。電動機ケース本体１に伝わった熱の一部は、電動機ケース本体１の外周面１ａの表面から電動機１００の外部に放熱される。また、電動機ケース本体１に伝わった熱の一部は、放熱フィン２２の表面から電動機１００の外部に放熱される。また、電動機ケース本体１に伝わった熱の一部は、取付部２３の表面から電動機１００の外部に放熱される。
【００３２】
つぎに、電動機１００の製造工程について説明する。まず、電動機ケース本体１の製造方法について説明する。電動機ケース本体１は、電動機ケース本体１の外周面に対応した金型を用いて、アルミニウムビレットを押出成形することによって製造される。このとき、ビレットを押出成形することによって１本の長尺の成形品が押し出される。長尺の成形品の外周面には、上述した放射状に延びた高さの異なる複数の放熱フィン２２、および高さの等しい４本の取付部２３が形成されている。
【００３３】
つぎに、長尺の成形品が固定子１１のサイズに合わせて必要なサイズに切断され、固定子１１を保持するための固定子保持部２１が切削加工によって形成される。これにより、中空形状を有する電動機ケース本体１が得られる。
【００３４】
つぎに、電動機ケース本体１が焼嵌め炉に投入されて加熱される。そして、加熱された電動機ケース本体１の内部の固定子保持部２１に固定子１１が焼嵌めされ、固定される。このとき、電動機ケース本体１の外周面形状が対称的な形状となっているため、固定子１１の焼嵌め角度を１箇所に限定せずに、電動機ケース本体１と固定子１１とを組み立てることができ、電動機ケース本体１と固定子１１との組み立て作業が容易になる。
【００３５】
その後、回転軸１３、第１の軸受け１４１および第２の軸受け１４２が取り付けられた状態の回転子１２が、固定子１１の内部に配置される。そして、第１の軸受け１４１を第１蓋部２の第１軸受保持部２ａに保持させた状態で、第１蓋部２がネジ４によって電動機ケース本体１に締結される。また、第２の軸受け１４２を第２蓋部３の第２軸受保持部３ａに保持させた状態で、第２蓋部３がネジ４によって電動機ケース本体１に締結される。これにより、電動機１００が形成される。
【００３６】
上述した本実施の形態１にかかる電動機ケース本体１は、電動機ケース本体１の外周面に形成された高さの異なる放熱フィン２２を、押出成形によって電動機ケース本体１の中間材であるアルミニウムの押出成形品を安定して載置するための固定脚として使用することができる。また、電動機１００は、取付部２３を、押出成形によって電動機ケース本体１の中間材であるアルミニウムの押出成形品を安定して載置するための固定脚として使用することができる。すなわち、電動機ケース本体１は、製造の都合上必要となる固定脚の機能が、電動機ケース本体１の機能上必要な構成部である放熱フィン２２および取付部２３によって実現されている。これにより、電動機ケース本体１は、電動機ケース本体１の機能上必要な構成部のみによって固定脚の機能が実現されており、放熱フィン２２よりも肉厚の突出部からなり固定脚の機能を担う構成部が設けられていないため、電動機ケース本体１および電動機１００の軽量化およびコストの低減が実現されている。
【００３７】
また、電動機ケース本体１は、電動機ケース本体１の機能上必要な構成部である放熱フィン２２と取付部２３と以外の構成部が外周面に設けられていない。このため、電動機ケース本体１は、外周面１ａの円周方向において、取付部２３の配置領域以外の全周領域に放熱フィン２２を配置することができ、電動機ケース本体１の外表面の表面積を広く確保することができる。これにより、電動機ケース本体１は、放熱効率を改善することが可能である。
【００３８】
また、複数の放熱フィン２２のうち固定脚として使用されない放熱フィン２２の高さは、電動機１００が取り付けられる製品に取付可能な範囲で高さを高くすることが可能であり、電動機１００が取り付けられる製品の仕様上許容される範囲で高くすることが可能である。これにより、電動機ケース本体１は、外表面の表面積をより広く確保することができ、より良好な放熱性能を実現可能である。
【００３９】
すなわち、電動機ケース本体１は、電動機１００を運転した際の電動機１００の内部で発生した熱を効率的に電動機１００の外部に放熱して、電動機１００の内部の温度上昇を抑制することが可能である。
【００４０】
また、電動機ケース本体１では、放熱フィン２２および取付部２３は、電動機ケース本体１の円筒形状の中心軸Ｃに垂直な面において、中心軸Ｃに対してシンメトリックに設けられている。このため、電動機１００の周囲に風を流して電動機１００の放熱を行う場合に、電動機１００の周辺の空気の流れが均一となり、電動機１００の周辺における空気の偏流の発生が抑制される。これより、電動機１００の外郭での放熱特性が均一化され電動機１００からの効率的な放熱が可能となる。
【００４１】
また、電動機ケース本体１が中心軸Ｃに対してシンメトリックな形状を有することにより、電動機ケース本体１は円筒形状の円周方向において配置の自由度を高くすることができ、固定子１１およびその他の部品の組み立てが容易となり、組立性が向上する。また、電動機ケース本体１が中心軸Ｃに対してシンメトリックな形状を有することにより、電動機ケース本体１が他の製品に組み付けられた際の重量バランスが円筒形状の円周方向において均等となる。
【００４２】
したがって、電動機ケース本体１によれば、電動機１００の内部の熱を効率良く電動機１００の外部に放熱可能な電動機ケース部品が得られる。これにより、電動機１００は、電動機１００の内部の温度上昇に起因した、電動機１００の内部の部品の劣化または変形の発生を抑制して、長期にわたって安定した運転が可能である。
【００４３】
実施の形態２．
図７は、本発明の実施の形態２にかかる換気扇２００の正面図である。図８は、本発明の実施の形態２にかかる換気扇２００の側面図である。換気扇２００は、上記実施の形態１で説明した電動機１００が取り付けられており、工場、倉庫、店舗あるいは住宅において、壁に形成された開口に取り付けられる。換気扇２００は、室内から室外への排気あるいは室外から室内への給気により、室内の換気を行う。
【００４４】
換気扇２００は、本体枠２０１と、本体枠２０１に取り付けられた４本の換気扇モータ取付脚２０３と、４本の換気扇モータ取付脚２０３により支持された電動機１００と、電動機１００の駆動により回転して空気流を発生させる羽根２０４とを備える。本体枠２０１の中央には、換気扇２００の通風路である風洞部２０２が設けられている。電動機１００は、風洞部２０２の中心位置に電動機１００の回転軸が一致するように配置されている。また、電動機１００は、電動機ケース本体１の外周面において４箇所に設けられた取付部２３が、４本の換気扇モータ取付脚２０３にネジ２０５で締結される。羽根２０４は、電動機１００の回転軸に連結されている。羽根２０４は、電動機１００による回転軸の駆動に伴って風洞部２０２内で回転し、風洞部２０２を通る空気流を発生させる。なお、図７および図８では電動機１００の回転軸の図示を省略している。
【００４５】
上述した本実施の形態２にかかる換気扇２００は、電動機１００を備えるため、換気扇２００を運転した際の電動機１００の内部で発生した熱を効率的に電動機１００の外部に放熱して、電動機１００の内部の温度上昇を抑制することが可能である。これにより、換気扇２００は、電動機１００の内部の温度上昇に起因した、電動機１００の内部の部品の劣化または変形の発生を抑制して、長期にわたって安定した運転が可能である。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  電動機ケース本体、１ａ  外周面、２  第１蓋部、２ａ  第１軸受保持部、３  第２蓋部、３ａ  第２軸受保持部、４  ネジ、１１  固定子、１２  回転子、１３  回転軸、１３ａ  一端、１４  軸受け、２０  本体部、２１  固定子保持部、２２  放熱フィン、２２ａ  頂点、２３  取付部、２３ａ  製品取付面、２３ｂ  製品取付穴、３１  第１仮想平面、３２  第２仮想平面、１００  電動機、２００  換気扇、２０１  本体枠、２０２  風洞部、２０３  換気扇モータ取付脚、２０４  羽根、２０５  ネジ、Ｃ  中心軸。
【図１】
2019022250.tif 000003
【図２】
2019022250.tif 000004
【図３】
2019022250.tif 000005
【図４】
2019022250.tif 000006
【図５】
2019022250.tif 000007
【図６】
2019022250.tif 000008
【図７】
2019022250.tif 000009
【図８】
2019022250.tif 000010